(57)【要約】【課題】探索する物品の場所が容易に分かる物品探索システムとその使用方法の提供【解決手段】本発明は、表示ラベル、該表示ラベルを対応する物品に添付する前に、該物品の情報を、記号及び／又は番号に置き換え、該表示ラベルのＩＣチップのメモリ部に記録させるライタ装置、及び、リーダライタ装置としては機能しない電力・物品情報供給装置と、を少なくとも具備する物品探索システムの使用方法である。また、該ＩＣチップに、記号及び／又は番号のみを、予め該ライタ装置を用いて記憶させた後、該表示ラベルを該物品に添付しておき、探索者が探索したい物品があるときに、該探索したい物品の記号及び／又は番号を単に電力・物品情報供給装置に該探索者が入力し、該電力・物品情報供給装置を手に持って部屋内を移動し、該物品又は該物品を含む複数の物品に近づけて、該探索者が該物品の場所を知覚することを特徴とする物品探索システムの使用方法である。【選択図】図１
2014081959.tif 000002
【特許請求の範囲】
【請求項１】
（１）物品の物品情報を予め記憶しておくためのメモリ部と該メモリ部を制御する制御部とを有するＩＣチップ、及び、該ＩＣチップに対し電力・物品情報供給装置から供給される電力と物品情報との電波を捕捉する機能は持つが、該物品情報を外部に発信するための機能は実質的には持たないタグアンテナを有する無線ＩＣタグ、並びに、
該電力・物品情報供給装置から供給される物品情報が、メモリ部に予め記憶されている物品情報に一致したときだけ、該無線ＩＣタグから電力を受けて外観が変化する表示体
を有する表示ラベル、と、
（２）該表示ラベルを対応する物品に添付する前に、該物品の情報を、記号及び／又は番号に置き換え、該表示ラベルの該無線ＩＣタグが有する該ＩＣチップの該メモリ部に記録させるライタ装置、と、
（３）該無線ＩＣタグからの情報を読み取る機能がなく、かつ、該物品の情報を該ＩＣチップに記録させる機能がなく、リーダライタ装置としては機能しない該電力・物品情報供給装置と、
を少なくとも具備する物品探索システムの使用方法であって、
該表示ラベルの無線ＩＣタグのＩＣチップに、記号及び／又は番号のみを、予め該ライタ装置を用いて記憶させた後、該表示ラベルを該物品に添付しておき、
探索者が探索したい物品があるときに、該探索したい物品の記号及び／又は番号を単に電力・物品情報供給装置に該探索者が入力し、該電力・物品情報供給装置を手に持って部屋内を移動し、該物品又は該物品を含む複数の物品に近づけて、該電力・物品情報供給装置から電力と該物品情報とを、５ｍ以内にある物品に供給することにより、該物品情報が記憶されたＩＣチップを有する無線ＩＣタグを有する表示ラベルに存在する表示体の外観を変化させることによって、該探索者が該物品の場所を知覚することを特徴とする物品探索システムの使用方法。
【請求項２】
該表示ラベルが添付された複数の物品の中から、探索したい物品の場所を知覚する請求項１に記載の物品探索システムの使用方法。
【請求項３】
該表示ラベルが添付されていない複数の物品の中から、探索したい物品である表示ラベルが添付された物品を探索する請求項１に記載の物品探索システムの使用方法。
【請求項４】
該表示ラベルが、電力・物品情報供給装置から供給される電力を、該表示体の外観が変化するために十分な量になるまで蓄積するための電力蓄積手段を有する請求項１ないし請求項３の何れかの請求項に記載の物品探索システムの使用方法。
【請求項５】
該物品が、電子記録媒体、印刷媒体、小物雑貨若しくは日用品、又は、それらのケース、包装物、仕切り若しくは包袋である請求項１ないし請求項４の何れかの請求項に記載の物品探索システムの使用方法。
【請求項６】
該表示体がＬＥＤ又は有機ＥＬであり、該外観の変化が発光である請求項１ないし請求項５の何れかの請求項に記載の物品探索システムの使用方法。
【請求項７】
該表示体が、該表示体に一旦電力の供給があり外観に変化があれば、電力の供給がなくなっても、一旦変化した外観を保持する不可逆的表示体である請求項１ないし請求項５の何れかの請求項に記載の物品探索システムの使用方法。
【請求項８】
該不可逆的表示体が、エレクトロクロミック材料を有する表示体、裏と表で外観が異なり引っ繰り返ることで外観が変わる表示体又は電子ペーパー表示体である請求項７記載の物品探索システムの使用方法。
【請求項９】
請求項１ないし請求項８の何れかの請求項に記載の物品探索システムの使用方法に用いられるものであることを特徴とする物品探索システム。
【請求項１０】
無線ＩＣタグと表示体を有し、請求項１ないし請求項８の何れかの請求項に記載の物品探索システムの使用方法に用いられるものであることを特徴とする表示ラベル。
【発明の詳細な説明】
【技術分野】
【０００１】
本発明は、無線ＩＣタグを利用した物品探索システムの使用方法に関するものであり、詳細には、無線ＩＣタグと表示体を有する表示ラベルを物品に添付しておき、探索者が、電力・物品情報供給装置から、電力と探索したい物品の物品情報とを供給することにより、該探索したい物品の物品情報が記憶された無線ＩＣタグと同じ表示ラベルに存在する表示体の外観を変化させることによって、該探索者が該物品の場所を知ることができる物品探索システムの使用方法に関するものであり、また、かかる物品探索システムの使用方法に用いられる物品探索システム及び表示ラベルに関するものである。
【背景技術】
【０００２】
従来から、種々の物品に、「その物品の情報が搭載されたＩＣチップ」及び「タグアンテナ」を有する無線ＩＣタグを添付しておく物品の管理システムが知られている（例えば、特許文献１〜６）。このシステムでは、リーダライタ装置から情報の乗った電波を送ることによって無線ＩＣタグとの間で交信をして、所定の条件に合った無線ＩＣタグが添付された物品が何処にあるかを検知するものである。
【０００３】
すなわち、リーダライタ装置の送信アンテナから出力される無線信号をタグアンテナで受信すると共に、受信した無線信号によりタグアンテナで生成した電力をＩＣチップに供給してＩＣチップを作動させ、無線ＩＣタグは、無線信号の一部をＩＣチップ内に記憶されている情報に応じて変調し、タグアンテナを介してリーダライタ装置に応答信号を出力するものである。
【０００４】
用いられる周波数帯にもよるが、リーダライタ装置と無線ＩＣタグとの距離には必然的に限界がある（最大でも３〜５ｍ程度）。従って、もし無線ＩＣタグを用いるシステムを離れた場所にある物品に適用しようとすれば、物品群の近傍にアンテナを設置して、そのアンテナを介して交信する必要がある。それにより、操作者と物品との距離が離れていても、その物品が存在する場所をおおまかに検知することができる。
【０００５】
また、このような無線ＩＣタグを用いるシステムでは、物品の情報がそこに添付された無線ＩＣタグから発信され、それをリーダライタ装置で読み取ることができる。
【０００６】
しかしながら、無線ＩＣタグから発信された情報を読み取る必要のない応用分野もある。すなわち、無線ＩＣタグに向けて物品の情報を発信し、その情報に合致した物品の場所だけが分かり、それ以外のその物品が有している情報は不要な応用分野は存在する。
【０００７】
従来、無線ＩＣタグに向けて物品の情報を発信し、その情報に合致した複数の物品の情報を受け取り、その情報を基に更に条件を絞り込んで、最終的な条件に合致する物品の場所を知るシステムは知られている。しかしながら、物品の場所を知るシステムとはいうものの、この場合は、無線ＩＣタグから発信された情報を読み取っており、無線ＩＣタグからタグアンテナを介しての情報の発信が必須であった。
【０００８】
しかしながら、無線ＩＣタグから情報を発信するためには大きな電力を必要とし、その電力はリーダライタ装置等から電波で送らなくてはならないので、無線ＩＣタグやそこに存在するＩＣチップやタグアンテナにおける種々の機能を犠牲にせざるを得なかった。また、大きさや価格も犠牲にせざるを得なかった。
【０００９】
ある条件に合致した物品の存在する場所だけが分かればよく、他の機能は必要ない分野は相当あるが、物品の存在する場所の探索だけに絞ったシステムはあまり提案されておらず、特に、物品に添付された無線ＩＣタグからの電力を使用して情報を発信もせず、タグアンテナから発信された電波を検知する機能（検波機能）を有さないシステムは殆ど知られていない。
【先行技術文献】
【特許文献】
【００１０】
【特許文献１】特開２００４−２９９８６０号公報
【特許文献２】特開２００７−００４６７８号公報
【特許文献３】特開２００８−２４２９１１号公報
【特許文献４】特開２００９−１１０３３１号公報
【特許文献５】特開２００９−１９３１１５号公報
【特許文献６】特開２００９−２０５６０３号公報
【発明の概要】
【発明が解決しようとする課題】
【００１１】
本発明は上記背景技術に鑑みてなされたものであり、その課題は、探索しようとする物品の場所が容易に分かり、装置も比較的簡易な物品探索システムとその使用方法を提供することにある。
【課題を解決するための手段】
【００１２】
本発明者は、上記の課題を解決すべく鋭意検討を重ねた結果、供給される電力と物品情報との電波を捕捉する機能は持つが、外部に発信するための機能は実質的には持たない無線ＩＣタグに対し、電力・物品情報供給装置から探索したい物品の物品情報を送信し、その無線ＩＣタグのＩＣチップのメモリ部に予め記憶されている物品情報にそれが一致したときだけ、該無線ＩＣタグに併設されている表示部に、目視で確認できる変化を起こさせれば、探索者が該物品の場所を容易に知ることができ、装置も簡易化できることを見出して、本発明を完成するに至った。
【００１３】
すなわち、本発明は、
（１−１−１）物品の物品情報を予め記憶しておくためのメモリ部と該メモリ部を制御する制御部と、を有するＩＣチップ、及び、
（１−１−２）該ＩＣチップに対し電力・物品情報供給装置から供給される電力と物品情報との電波を捕捉する機能は持つが、該物品情報を外部に発信するための機能は実質的には持たないタグアンテナ、を有する
（１−１）無線ＩＣタグ、
並びに、
（１−２）電力・物品情報供給装置から供給される物品情報が、メモリ部に予め記憶されている物品情報に一致したときだけ、該無線ＩＣタグから電力を受けて外観が変化する表示体、を有する
（１）表示ラベル、と、
（２）該電力・物品情報供給装置と、
を少なくとも具備する物品探索システムの使用方法であって、
該表示ラベルの無線ＩＣタグのＩＣチップに、それが添付される物品の物品情報を予め記憶させた後、該表示ラベルを該物品に添付しておき、
探索者が探索したい物品があるときに、該探索したい物品の物品情報を電力・物品情報供給装置に入力し、該探索者が該電力・物品情報供給装置を移動させて、該電力・物品情報供給装置から電力と該物品情報とを、５ｍ以内にある物品に供給することにより、
該物品情報が記憶されたＩＣチップを有する無線ＩＣタグを有する表示ラベルに存在する表示体の外観を変化させることによって、
該探索者が該物品の場所を知覚することを特徴とする物品探索システムの使用方法を提供するものである。
【００１４】
また、本発明は、上記の物品探索システムの使用方法に用いられるものであることを特徴とする物品探索システムを提供するものである。
【００１５】
また、本発明は、無線ＩＣタグと表示体を有し、上記の物品探索システムの使用方法に用いられるものであることを特徴とする表示ラベルを提供するものである。
【発明の効果】
【００１６】
本発明によれば、前記問題点と課題を解決し、探索者が探索したい物品の位置を、該物品に付された表示ラベルの表示体の外観が変化することを目視で確認することによって、探索者が容易に該物品の場所を知覚することが可能である。
【００１７】
また、本発明によれば、無線ＩＣタグから発信された情報を読み取る必要がないので、無線ＩＣタグから、探索者が持っている電力・物品情報供給装置に向かって情報を送信する必要もなく、そのため無線ＩＣタグの簡略化、小型化、低廉化等が可能になる。また、電力・物品情報供給装置も、無線ＩＣタグからの情報を読み取る必要がないので、簡略化、小型化、低廉化等が可能になる。
【００１８】
すなわち、表示ラベル内の無線ＩＣタグのタグアンテナからは何ら情報は発信されず、表示ラベル内の表示体の外観が変化することによって、強いて言えば表示ラベル内の表示体から「表示体の外観の変化」という可視光の情報が発信され、該情報を探索者の目が検知するという方法によって、大幅に無線ＩＣタグと電力・物品情報供給装置の簡略化、小型化、低廉化等が可能になる。従って、本発明に用いられる電力・物品情報供給装置には、従来のリーダライタ装置に搭載されていた「無線ＩＣタグからの信号を読みとるリーダ機能」は実質的には存在しないし、無線ＩＣタグからの信号に対して、電力・物品情報供給装置からフィードバックをかけることも実質的には行わないので、大幅に無線ＩＣタグと電力・物品情報供給装置を簡略化、小型化、低廉化等させることが可能になる。
【００１９】
本発明における電力・物品情報供給装置は、物品の探索者が手に持つ等して移動させ、探索する物品の５ｍ以内にまで近づけるので、探索者の労力は必要ではあるが、その分、大幅に無線ＩＣタグと電力・物品情報供給装置の簡略化、小型化、低廉化等が可能になる。家庭内の部屋、狭い倉庫、引出の中等の狭い空間では、探索者が電力・物品情報供給装置を移動させて、物品に近づけたり物品の方向に向けたりすることは極めて容易にできるので、探索者にとってそのような労力がかかることは殆ど欠点にならない。
【００２０】
本発明を使用すれば、探索者は、該表示ラベルが添付された複数の物品の中から、自分が探索したい物品の場所を知ることができるし、また、該表示ラベルが添付されていない複数の物品と該表示ラベルが添付された物品とが混然としているものの中から、自分が探索したい物品を容易に探し出すことができる。
【図面の簡単な説明】
【００２１】
【図１】本発明における無線ＩＣタグを有する表示ラベルの構成と、電力・物品情報供給装置の構成を示したブロック図である。
【図２】無線ＩＣタグを有する表示ラベルが種々の物品に添付された状態を示す図である。  （ａ）鍵  （ｂ）ビデオテープケース  （ｃ）本  （ｄ）ＤＶＤ（デジタルバーサタイルディスク）、ＣＤ（コンパクトディスク）、ＭＤ（ミニディスク）、ＭＯ（光磁気ディスク）、ＢＲ（ブルーレイディスク）、ＦＤ（フレキシブルディスク）等の記録媒体のケース
【図３】電力・物品情報供給装置の一例を示す図である。
【図４】本発明を用いて探索される物品の態様を示す図である。
【発明を実施するための形態】
【００２２】
以下、本発明について説明するが、本発明は、以下の具体的形態に限定されるものではなく、技術的思想の範囲内で任意に変形することができる。
【００２３】
本発明は、図１に示したように、
（１−１−１）物品７０の物品情報を予め記憶しておくためのメモリ部１２と該メモリ部１２を制御する制御部１１と、を有するＩＣチップ１０、及び、
（１−１−２）該ＩＣチップ１０に対し電力・物品情報供給装置６０から供給される電力と物品情報との電波を捕捉する機能は持つが、該物品情報を外部に発信するための機能は実質的には持たないタグアンテナ２０、を有する
（１−１）無線ＩＣタグ３０、
並びに、
（１−２）電力・物品情報供給装置６０から供給される物品情報が、メモリ部１２に予め記憶されている物品情報に一致したときだけ、該無線ＩＣタグ３０から電力を受けて外観が変化する表示体４０、を有する
（１）表示ラベル５０、と、
（２）該電力・物品情報供給装置６０と、
を少なくとも具備する物品探索システムの使用方法である。
【００２４】
本発明の物品探索システムの使用方法に用いられる装置は、図１に示したように、少なくとも、無線ＩＣタグ３０と表示体４０とを有する表示ラベル５０、及び、電力・物品情報供給装置６０を有している。そして、無線ＩＣタグ３０は、少なくともＩＣチップ１０とタグアンテナ２０を有している。更に、ＩＣチップ１０は、少なくとも物品７０の情報を制御する制御部１１と物品７０の情報を記憶するメモリ部１２を有している。無線ＩＣタグ３０は、ＲＦＩＤ（Ｒａｄｉｏ  Ｆｒｅｑｕｅｎｃｙ  Ｉｄｅｎｔｉｆｉｃａｔｉｏｎ）タグとも呼ばれている。
【００２５】
メモリ部１２は物品７０の情報を記憶できるようになっているが、その表示ラベル５０が添付された物品７０の情報を記憶させて使用する。本発明は、限定はされないが、住宅における一部屋内、引き出し内、書類棚内、倉庫内等の狭い空間で又は狭い空間に対して使用されるときに特に効果を発揮できるので、適用される物品７０は、特に限定はないが、ＤＶＤ（デジタルバーサタイルディスク）、ＣＤ（コンパクトディスク）、ＭＤ（ミニディスク）、ＭＯ（光磁気ディスク）、ＢＲ（ブルーレイディスク）、ＦＤ（フレキシブルディスク）等の電子記録媒体若しくはそのケース；本、書類、カタログ等の印刷媒体若しくはそのケース；鍵、装飾品等の小物雑貨若しくはそのケース；衣料、食品、化粧品、薬等の日用品若しくはそのケース；それらの包装物、仕切り、包袋等が好ましいものとして挙げられる。物品７０の代表的な例を図２に示した。
【００２６】
従って、上記情報記憶媒体を例にとれば、物品情報は、題名・書名、上位概念分類・下位概念分類、制作者名・作者名・作曲者・アーティスト名、発行日、購入日、探索者のメモ等が挙げられる。また、鍵７１を例にとれば、その鍵７１が使用できる対象；対象が複数種類ある場合には、それらに対応した番号、例えば、部屋番号、ロッカー番号、車両番号等が挙げられる。また、物品７０に独自に記号及び／又は番号を付与（ナンバリングを）してもよい。
【００２７】
物品７０の情報は、ＩＣチップ１０のメモリ部１２に記録されて記憶されるが、その記録の操作については、後述する電力・物品情報供給装置６０にその機能が備わっていてもよいが、別途ライタ装置があって、物品７０の情報をＩＣチップ１０のメモリ部１２に記録させるようになっていてもよい。電力・物品情報供給装置６０には、電力の無線ＩＣタグ３０への供給と、物品情報の無線ＩＣタグ３０への供給を受け持たせ、物品７０の情報をＩＣチップ１０のメモリ部１２に記録させる装置は別途存在した方が、電力・物品情報供給装置６０が小型軽量になり、電力・物品情報供給装置６０を持ち運び、色々な方向・場所に移動させて物品７０を探索し易くなるために好ましい。
【００２８】
ＩＣチップ１０を有する表示ラベル５０を物品７０に添付してから、その物品７０の情報をＩＣチップ１０のメモリ部１２に記憶させてもよいし、物品７０の情報をＩＣチップ１０のメモリ部１２に記録させてから、そのＩＣチップ１０を有する表示ラベル５０を対応する物品７０に添付してもよい。
【００２９】
本発明の電力・物品情報供給装置６０は、後述するように無線ＩＣタグ３０からの情報を読み取る機能は実質的にないのでリーダ装置ではない。また、上記したように、物品７０の情報をＩＣチップ１０に記録させる機能も実質的になければライタ装置でもないので、従来のリーダライタ装置とは根本的に異なるものである。
【００３０】
無線ＩＣタグ３０内にあるＩＣチップ１０の制御部１１は、同じく無線ＩＣタグ３０内にあるタグアンテナ２０が受信した、「電力・物品情報供給装置６０からの物品情報」を制御し、ＩＣチップ１０のメモリ部１２に送り、該メモリ部１２に記憶された部品情報と合致するか否かを判断するようになっている。そして、合致した場合には、制御部１１は合致した旨の信号を無線ＩＣタグ３０から表示体駆動手段４１に送り、表示体駆動手段４１は、制御部１１から合致した旨の信号を受けたときだけ電力を表示体４０に供給して、該表示体４０の外観を変化させるようになっている。
【００３１】
本発明においては、無線ＩＣタグ３０内のタグアンテナ２０は、電力・物品情報供給装置６０から供給される電力と物品情報とを捕捉・受信する機能は持つが、ＩＣチップ１０のメモリ部１２に記憶されている物品情報を外部に発信するための機能は実質的には持たない。本発明においては、ＩＣチップ１０内のメモリ部１２に記憶されている物品情報は実質的に外部に発信されることはない。タグアンテナ２０は物品情報を受信するためにあり、発信するためにあるものではない。探索者が探索している物品７０の存在は、表示体４０の外観が変化することにより、探索者に伝えられる。このことにより、大幅に無線ＩＣタグと電力・物品情報供給装置の簡略化、小型化、低廉化等が可能になる。
【００３２】
表示ラベル５０は、物品７０の表面の目に見える場所に添付できるようになっている。添付は、貼り付けるタイプ；巻き付けるタイプ；ピン、紐、針金等で留めるタイプ；等の何れでもよい。表示ラベル５０には、上記した無線ＩＣタグ３０と表示体４０が存在し、通常は無線ＩＣタグ３０からの信号を、表示体駆動手段４１によって表示体４０に電力を供給できるようになっている。表示ラベル５０上で、表示体４０は無線ＩＣタグ３０の上部に位置していてもよいし、図２に示したように並んで位置していてもよい。
【００３３】
該表示体４０は、電力の供給を受けて外観が変化して、その存在場所を探索者に教えられるものであれば特に限定はなく、電力の供給があるときだけ外観を変化させるものでも、電力の供給が一旦あれば、その後は常に外観を変化させるものでもよい。電力の供給があるときだけ外観を変化させる表示体４０としては、特に限定はないが、具体的には例えば、ＬＥＤ、有機ＥＬ等が挙げられる。外観の変化は発光であることが好ましい。
【００３４】
また、該表示体４０が、該表示体４０に一旦電力の供給があり外観に変化があれば、電力の供給がなくなっても、一旦変化した外観を保持する不可逆的表示体であれば、電力・物品情報供給装置６０を停止した後でも、探索者はゆっくり物品７０を探索することができ、省エネルギー化が実現できるのみならず、探索者は電力・物品情報供給装置６０を持たなくても、既に外観が変化した表示体４０が添付されている物品７０を探索できるので便利である。該不可逆的表示体としては、特に限定はないが、エレクトロクロミック材料を有する表示体、裏と表で外観が異なり引っ繰り返ることで外観が変わる表示体等が挙げられる。エレクトロクロミック材料としては、例えば、有機／金属ハイブリッドポリマー、電圧で化学構造が変化する色素又は色素前駆体等が挙げられる。また、電子ペーパー等に使用されている電子ペーパー表示体も挙げられる。
【００３５】
該表示体４０が不可逆的表示体の場合には、物品７０が探索されたのち、逆電圧をかけて元に戻してもよいが、表示ラベル５０ごと廃棄して、新しい表示ラベル５０をその物品７０に添付することが煩雑でないために好ましい。不可逆的表示体は、外観変化に要するエネルギーが少なくて済むので、エネルギーが電波でしか供給できない本発明には、極めて良くマッチングしている。また、不可逆的表示体は、応答速度が遅いものが多いので、応答速度の速いことが要求されない、すなわち、応答速度は遅くてもかまわない本発明には、極めて良くマッチングしている。
【００３６】
電力・物品情報供給装置６０の電力・物品情報供給アンテナ６１から供給される電力は小さいので、電力・物品情報供給装置６０から供給される電力を該表示体４０の外観が変化するために十分な量になるまで蓄積するための電力蓄積手段を表示ラベル５０が有していることも好ましい。電力蓄積手段は、小さい電力では表示体４０の外観を変化させられない場合に、該表示体４０の外観を変化させ得るだけの電力が蓄積された時点で表示体駆動手段４１を発動させて表示体４０を外観変化させる。
【００３７】
電力・物品情報供給装置６０は、図１及び図３に示したように、少なくとも、電力・物品情報供給アンテナ６１、データ送信部６２、探索物品情報入力手段６５を有する物品情報制御部６３及び電源６６を有している。物品情報制御部６３には物品情報格納部６４があり、探索する候補の物品情報を予め格納しておくようにしてもよい。
【００３８】
また、電力・物品情報供給装置６０には、入力物品情報表示部６７があることが好ましい。探索者は、探索する物品７０の物品情報（例えば、図３では「Ａ１３」）を、キーボード等の探索物品情報入力手段６５を用いて入力する。入力物品情報表示部６７は、入力された物品情報等が表示されるようになっているので、探索者は入力が正確に行われたか、現在何を探索しているかを明確に知ることができる。
【００３９】
入力される物品情報は、ＩＣチップ１０のメモリ部１２に記憶された情報の全部であっても一部であってもよい。例えば、ある作者名を探索物品情報入力手段６５から入力し、物品情報が無線ＩＣタグ３０に向けて発信されると、その作者名を有する本が１冊以上該当する場合、複数の表示ラベル５０の表示体４０の外観が変化するようになっていてもよい。そうすれば、探索者は選択された複数の本の中から、目視で自分の探索していた本を１冊だけ選択できる。
【００４０】
入力された物品情報は、物品情報制御部６３からデータ送信部６２に送られ、電力・物品情報供給アンテナ６１から発信される。発信された物品情報が「物品Ａ」の検索条件であれば、該検索条件に該当する物品情報を記憶している無線ＩＣタグ３０がそれに反応し、表示体駆動手段４１を用いて、同じ表示ラベル５０内にある表示体４０を外観変化させる。探索者は、複数の物品７０の中から、検索している「物品Ａ」又は「物品Ａ」の候補を容易に見つけ出すことができる。
【００４１】
物品情報制御部６３には物品情報格納部６４があってもよく、そこに物品情報を格納しておくこともできる。物品情報格納部６４内の物品情報は、初期化（フォーマット）ができて、別の物品情報に替えることもできるようになっていることが好ましい。
【００４２】
本発明は、上記した表示ラベル５０と電力・物品情報供給装置６０とを少なくとも具備するものであり、以下の物品探索システムの使用方法である。
すなわち、上記表示ラベル５０の無線ＩＣタグ３０のＩＣチップ１０に、それが添付される物品７０の物品情報を予め記憶させた後、該表示ラベル５０を該物品７０に添付しておき、
探索者が探索したい物品７０があるときに、該探索したい物品７０の物品情報を電力・物品情報供給装置６０に入力し、
該探索者が該電力・物品情報供給装置６０を移動させて、該電力・物品情報供給装置６０から電力と該物品情報とを、５ｍ以内にある物品７０に供給するようにすることにより、該物品情報が記憶されたＩＣチップ１０を有する無線ＩＣタグ３０を有する表示ラベル５０に存在する表示体４０の外観を変化させることによって、該探索者が該物品７０の場所を知覚することを特徴とする物品探索システムの使用方法である。
【００４３】
本発明は、物品７０の探索者が、上記した電力・物品情報供給装置６０を移動させて、該電力・物品情報供給装置６０から電力と該物品情報とを、５ｍ以内にある物品７０に供給するようにすることにより、該当するＩＣチップ１０に併設された表示体４０が外観変化し、その表示ラベル５０が添付された探索したい物品７０を、探索者が目視で知覚する。
【００４４】
本発明では、探索者は、表示ラベル５０が添付された複数の物品の中から、探索したい物品の場所を知覚する。すなわち、図４（ａ）及び図４（ｃ）に示したように、殆ど全ての物品に表示ラベル５０が添付されていてその中から探索する。また、本発明では、探索者は、表示ラベル５０が添付されていない複数の物品の中から、表示ラベル５０が添付されていて探索したい物品の場所を知覚する。すなわち、表示ラベル５０が添付されていない複数の物品の中から、探索したい物品である表示ラベル５０が添付された物品を探索する。また、図４（ｂ）に示したように、「表示ラベル５０が添付されている複数の物品」と「表示ラベル５０が添付されていない複数の物品」の中から、探索者は、表示体４０が外観変化している表示ラベル５０が添付された物品を探索することもできる。
【００４５】
探索者は、該電力・物品情報供給装置６０を移動させて、該電力・物品情報供給装置６０から電力と該物品情報とを、５ｍ以内にある物品７０に供給することにより、該物品情報が記憶されたＩＣチップ１０を有する無線ＩＣタグ３０を有する表示ラベル５０に存在する表示体４０の外観を変化させることによって、該当物品７０の場所を知覚する。
【００４６】
探索者は、該電力・物品情報供給装置６０の向きを変化させたり、探索している物品７０の方向に向けたりして、該電力・物品情報供給装置６０を好ましくは手に持って移動させ、表示体４０の外観を変化させ、該当物品７０の場所を知覚する。本発明は、電力・物品情報供給装置６０と無線ＩＣタグ３０の間に増幅手段を実質的に持たないので、無線ＩＣタグ３０の使用電波の波長等による制限から、電力・物品情報供給装置６０と物品７０との距離は５ｍ以内であり、それで十分に本発明の効果を奏することができる。すなわち、探索者は、電力・物品情報供給装置６０を移動させて、該電力・物品情報供給装置６０から、電力と該物品情報とを５ｍ以内にある物品７０に供給するように、該電力・物品情報供給装置６０を物品７０に近づける。試行錯誤で近づけざるを得なくても、住宅における一部屋内、引き出し内、書類棚内、倉庫内等の狭い空間では、十分に早く物品７０を見つけ出すことができる。
【００４７】
５ｍ未満の距離にしか反応しない無線ＩＣタグ３０であっても、探索される物品の種類によっては十分に効果を発揮する。例えば、引出内の多数の部品７０から物品Ａを探し出す場合等は、「０．３ｃｍ〜１０ｃｍ」以下でしか反応しない無線ＩＣタグ３０であっても、探索者は、電力・物品情報供給装置６０を物品７０の群に近づけて、候補の物品Ａに添付されている表示ラベル５０の表示体４０の外観を変化させることができる。本発明は、探索者にある程度の労力をかけるが、その代わりに装置を使い易くした点に特徴がある。そして、探索者にある程度の労力をかけることは、前記したような狭い空間では、殆ど欠点・障害にならない。
【００４８】
用いる周波数帯は、１３５ｋＨｚ、１３．５６ＭＨｚ、９１５ＭＨｚ、２．４５ＧＨｚ；９５０〜９５６ＭＨｚ（日本）、８６８〜８７０ＭＨｚ（欧州）、９０２〜９２８ＭＨｚ（米国）のＵＨＦ帯、の何れでもよい。用いる周波数帯は、主に、電力・物品情報供給装置６０と、探索される物品７０との距離によって決められる。
【産業上の利用可能性】
【００４９】
本発明の無線ＩＣタグを用いた物品探索システムを使用すれば、探索者が探索したい物品を、表示ラベルの外観変化を目視で確認することによって、容易に見つけ出すことができ、また、電力・物品情報供給装置を探索者が移動させ、物品に近づけるので、探索者の労力は必要ではあるが、その分、大幅に無線ＩＣタグと電力・物品情報供給装置の簡略化、小型化、低廉化等が可能になるので、家庭内、工場内、倉庫内等だけでなく、書類棚内、引出内、飲料棚内、食品棚、冷蔵庫内、ラック内等の小さな空間内での探索にも使用できるので、工業用装置製造の分野のみならず、特に民生機器製造の分野に広く利用されるものである。
【符号の説明】
【００５０】
１０  ＩＣチップ
１１  制御部
１２  メモリ部
２０  タグアンテナ
３０  無線ＩＣタグ
４０  表示体
４１  表示体駆動手段
５０  表示ラベル
６０  電力・物品情報供給装置
６１  電力・物品情報供給アンテナ
６２  データ送信部
６３  物品情報制御部
６４  物品情報格納部
６５  探索物品情報入力手段
６６  電源
６７  入力物品情報表示部
７０  物品
７１  鍵
７２  ビデオテープケース
７３  本
７４  書類
７５  ＤＶＤ、ＣＤ、ＭＤ等の記録媒体のケース
【図１】
2014081959.tif 000003
【図２】
2014081959.tif 000004
【図３】
2014081959.tif 000005
【図４】
2014081959.tif 000006